(57)【要約】      （修正有）【課題】少量の水溶液をダイヤモンドコアビット側に送り、水溶液の漏れによる漏電や停電などの事故を防止すると共に切削時における摩擦熱を低減せしめて切削性の向上を図る硬質構造物のダイヤモンドコアビットによる穿孔時に使用される水溶液供給装置を提供する。【解決手段】ダイヤモンドコアビット２の外面に当接している通気性柔軟物質１２に水溶液１３が供給される。この水溶液は軟質性チューブ７ｂを経由して電動ポンプ７によって少量の水溶液は、通気性柔軟部材１２を介してダイヤモンドコアビット２に供給される。この少量の水溶液によって漏水や停電が防止され、一方、摩擦熱の低減による効率的な穿孔ができる。【選択図】図３
0003159199.tif 000002
【実用新案登録請求の範囲】
【請求項１】
コンクリート構造物のような硬質構造物の穿孔用の装置であって、該装置は、ダイヤモンドコアビットのコアシャンクの外面に当接してこれを保持する通気性柔軟性保持部材と軟質性チューブを経由して水溶液タンクの水溶液を電動ポンプによって前記通気性柔軟部材側に水溶液を染み込ませる電動ポンプを有することを特徴とする水溶液供給装置。
【請求項２】
前記電動ポンプは、モーターの作動時間と休止時間を調整することによって、水溶液の供給量を調整することを特徴とする請求項１に記載の硬質構造物穿孔用の水溶液供給装置。
【考案の詳細な説明】
【技術分野】
【０００１】  本考案は、コンクリート構造物のような硬質構造物を筒状のダイヤモンドコアビットにによる穿孔に使用されるポンプ式の水溶液供給装置に関する。
【背景技術】
【０００２】  ダイヤモンドコアビットを用いて例えばコンクリート構造物を穿孔する方法としては数多くの公知技術がある。その１つとして例えば「特許文献１」が挙げられる。
【先行技術文献】
【特許文献】
【０００３】
【特許文献１】特開平７−２８５１２３号（図１）
【考案の概要】
【考案が解決しようとする課題】
【０００４】「特許文献１」の「特開平７−２８５１号」の「コンクリート建造物体の穿孔方法」はコンクリート構造物（３）に回転駆動体（５）を垂直方法から押圧して穿孔を行う際に供給タンク（８）から水溶液をダイヤモンドコアビット（２）側に多量に供給して穿孔を行う通常の穿孔方法を示す考案であり、この考案の目的としては穿孔部よりの冷却水の流出を防止するものである。
前記のようにこの公知技術には比較的多量の水溶液が使用されている。また、公知技術ではないが、前記のように通常のコンクリート構造物の穿孔にはかなり多量の水溶液が供給された状態で穿孔が行われている。【０００５】  水溶液を多量に供給しながらダイヤモンドコアビットによる穿孔を行う場合にはダイヤモンドコアビットの切削チップの摩擦熱の上昇を低下されるメリットがあるが、一方、例えば鉄筋コンクリート構造物の場合鉄筋コンクリート構造体自体に埋設されている電線管等を誤って切断すると漏れ水による漏電や停電等の事故が発生し易い問題点がある。一方、ダイヤモンドコアビットによる穿孔にはそれ程多量の水溶液の供給は必要ではなく、少量の水溶液の効果的な供給で十分な穿孔ができることが知られている。【０００６】  本考案は、以上の事情に鑑みて考案されたものであり、少量の水溶液をダイヤモンドコアビットの水冷却部の必要の部位に確実に供給でき、漏れ水等による事故を防止でき、ダイヤモンドコアビットの摩擦熱の上昇を抑えて効率的の穿孔が可能となる硬質構造物の穿孔に使用される水溶液供給装置を提供することを目的とする。
【課題を解決するための手段】
【０００７】  本考案は、以上の目的を達成するために、請求項１の考案は、ダイヤモンドコアビットによる切削部位に少量の水溶液を供給する水溶液供給装置であって、該装置は、前記ダイヤモンドコアビットのコアシャンクの外面に当接してこれを保持する通気性柔軟性保持部材と軟質性チューブを経由して水溶液タンクの水溶液を電動ポンプによって前記通気性柔軟性保持部材側に水溶液を染みこませる電動ポンプを有することを特徴とする。【０００８】  また、請求項２の考案は、前記電動ポンプのモーターの作動時間と休止時間を調整することによって、水溶液量の供給量を調整することを特徴とする。
【考案の効果】
【０００９】  また、本考案の請求項１の水溶液供給装置によれば、水溶液タンクからの水溶液は、軟質性チューブを経由して電動ポンプによって少量だけ通気性柔軟性保持部材側を介してダイヤモンドコアビット側に送られ、結果として少量の水溶液が冷却を必要とするダイヤモンドコアビットの穿孔部分に効果的に供給されることになる。【００１０】  また、本考案の請求項２の水溶液供給装置によれば、前記電動ポンプのモーターの作動時間と休止時間を調整することによって、各種のサイズのダイヤモンドコアビットに応じて適量の水溶液の調整ができる。
【図面の簡単な説明】
【００１１】
【図１】本考案の水溶液供給装置を有するコンクリート構造物等を穿孔する穿孔具の全体構造を示す側面図。
【図２】図１における本考案の主要要素である水溶液装置やダイヤモンドコアビット等を示す断面図。
【図３】本考案の水溶液供給装置の全体構造を示す平面図。
【図４】電動ポンプ部のみを示す断面図。
【図５】水溶液タンク部のみを示す断面図。
【図６】水溶液供給装置による水溶液の調整方法の説明参考図面。
【図７】ハンド式のダイヤモンドコアードリルに水溶液供給装置を使用した時の説明図。
【考案を実施するための形態】
【００１２】以下、本考案の硬質構造物の穿孔に使用される水溶液供給装置の実施の形態を図面を参照して詳述する。
【実施例】
【００１３】  まず、図１により本考案の水溶液供給装置１を有する穿孔装置１００の概要全体構造を説明する。
被穿孔物であるコンクリート構造物３上には案内柱４が立設して載置される。案内柱４には回転  駆動体５が上下動可能に支持される。回転駆動体５の下端側にはダイヤモンドコアビット２が垂下支持される。このダイヤモンドコアビット２の下端にはコンクリート構造物３を穿孔するための切削チップ２ａ（図２に示す）が設けられている。【００１４】本考案の主要素である水溶液供給装置１はコンクリート構造物３上に搭載されダイヤモンドコアビット２の外面に当接して配置される。また、図１には水溶液供給装置１の全体を移動させる移動手段６が配設されている。【００１５】図３は水溶液供給装置１の概要構造とこの水溶液供給装置１がダイヤモンドコアビット２に当接して保持する様子を示す。【００１６】図４は、水溶液を供給装置する電動ポンプ７で、モーター７ｂの作動で連動しているモーターギヤ７ｃとサーボホーン７ａが回転し、サーボホーン７ａの先端部は、軟質チューブ７ｂに食い込む位置にあり、サーボホーン７ａの回転によって、軟質性チューブ内の水溶液１３を押し出す電動ポンプ７。【００１７】図５は、水溶液タンク８の水溶液１３は、電動ポンプ７によって軟質性チューブで吸い上げられる。【００１８】電動ポンプ７は、水溶液間欠回路９によって図６に示す作動調整ツマミ９ａを矢印方向９ｂに回すと電動ポンプ７の作動時間が長くなり、矢印方向９ｃに回すと作動時間が短くなる。同様に、休止調整ツマミ９ｄで休止時間を調整することで、水溶液の供給量を調整することができる。【００１９】次に、本考案の水溶液供給装置による硬質構造物の穿孔方法について説明する。
図３に示したようにダイヤモンドビット２を位置決めした後、水溶液供給装置１のスポンジ１２をダイヤモンドコアビット２は押し当てると共にマグネットで吸着し、ダイヤモンドコアビット２の保持と水溶液供給装置１の位置決めが出来る。
次に、水溶液タンク８内に水溶液１３を入れて電動ポンプを作動すことで、軟質性チューブ内の水溶液１３は、通気性柔軟性保持部材１２側に送り出され、通気性柔軟性保持部材１２を介してダイヤモンドコアビット２に供給され少量の水溶液１３がダイヤモンドコアビット２の外面に付着し、自重により下方向に送られる。下方に送られた水溶液１３はダイヤモンドコアビット２の切削チップ２ａ側に供給され穿孔部の熱の吸収を行う。水溶液１３の供給量が少量のため、切削部位において適度の冷却剤として水溶液が作用し、摩擦熱の低減もでき、結果として良好な穿孔を行うことができる。【００２０】  図７は、ハンド式コアードリル１４の給水部１５に軟質性チューブ７ｂを接続して水溶液供給装置１で少量の水溶液をダイヤモンドコア１６のダイヤモンドコアビット１６ａに供給することで水溶液が、ダイヤモンドコアビットを冷却し、硬質構造物３の穿孔を行う。【００２１】  図１乃至図７水溶液供給装置１が使用されている状態を示すものである。【００２２】  本考案は以上の説明の内容からなるが、その説明の内容に限定するものではなく同一技術的範躊のものが適用されることは勿論である。
【産業上の利用可能性】
【００２３】  本考案は主にコンクリート構造物の穿孔に関するものであるが、コンクリートに限定するものではなくコンクリートに似ている硬質構造物にも適用可能であり、その利用範囲は広い。
【符号の説明】
【００２４】１      水溶液供給装置
２      ダイヤモンドコアビット
２ａ    切削チップ
３      コンクリート構造物
４      案内柱
５      回転駆動体
６      移動手段
７      電動ポンプ
７ａ    サーボホーン
７ｂ    軟質性チューブ
７ｃ    モーターギヤ
７ｄ    モーター
８      水溶液タンク
９      水溶液間欠回路
９ａ    作動調整ツマミ
９ｂ    右方向回転
９ｃ    左方向回転
９ｄ    休止調整ツマミ
１０    コンセント
１１    マグネット
１２    通気性柔軟性保持部材
１３    水溶液
１４    ハンド式コアドリル
１５    給水部
１６    ダイヤモンドコア
１６ａ  ダイヤモンドコアビット
１００  穿孔装置
【図１】
0003159199.tif 000003
【図２】
0003159199.tif 000004
【図３】
0003159199.tif 000005
【図４】
0003159199.tif 000006
【図５】
0003159199.tif 000007
【図６】
0003159199.tif 000008
【図７】
0003159199.tif 000009